(57)【要約】  散髪用デバイス（１）であって、頭部（１０）に配置されるのに好適なヘルメット（２）であって、ヘルメット（２）を着用したときに毛髪（１１）に向き合い、かつ頭部（１０）に対して逆の形状を有する内面（２ａ）を画定する、ヘルメット（２）を備え、ヘルメット（２）が、チャネル（２２）であって、各々が、チャネル（２２）内の毛髪（１１）のための入口部（２２ａ）と、内面（２ａ）に対して放射状である主伸長軸（２２ｂ）とを画定する、チャネル（２２）と、チャネル（２２）内の毛髪（１１）の切断手段（２３）であって、主伸長軸（２２ａ）に対して垂直な切断方向（２３ａ）を画定する、切断手段（２３）と、を含む、散髪用デバイス（１）が提供される。
2021529009.tif 000002
【特許請求の範囲】
【請求項１】
散髪用デバイスであって、
頭部に配置されるのに好適なヘルメットであって、前記ヘルメットを着用したときに毛髪に向き合う内面を画定する、ヘルメットを備え、
前記内面が、前記頭部の少なくとも一部に対して実質的に逆の形状を有し、
前記ヘルメットが、
チャネルであって、各々が、前記チャネル内の前記毛髪のための入口部と、前記内面に対して実質的に放射状である主伸長軸とを画定する、チャネルと、
前記チャネル内の前記毛髪の切断手段であって、前記主伸長軸に対して実質的に垂直な切断方向を画定する、切断手段と、を含む、
散髪用デバイス。
【請求項２】
前記チャネルを押し下げて前記チャネル内への前記毛髪の進入を制御するのに好適な吸引手段を備え、前記ヘルメットが、前記チャネルとの接続を介して前記吸引手段を流体内に配置するのに好適なダクトを含む、請求項１に記載の散髪用デバイス。
【請求項３】
前記ダクトが、接続を介して前記チャネルを往復式流体内に配置して、前記チャネルを同じ圧力に維持する、請求項２に記載の散髪用デバイス。
【請求項４】
前記ダクトの各々が、前記ダクト内への前記毛髪の進入を防ぐのに好適なフィルタ手段を含む、請求項２または３に記載の散髪用デバイス。
【請求項５】
前記切断手段が、ブレードと、前記切断方向に沿った前記ブレードの移動要素とを含む、請求項１から４のいずれか一項に記載の散髪用デバイス。
【発明の詳細な説明】
【技術分野】
【０００１】
本発明は、請求項１のプリアンブルに列挙されるような種類の散髪用のデバイスに関する。
【背景技術】
【０００２】
知られているように、毛髪は、櫛およびブレード／かみそりまたははさみを組み合わせて使用することにより切られる。
【０００３】
ブレードの区域は、それらが製造されている形状の点で特に多彩である。実際、ブレードは、チゼルと同様に製造されてもよく、または二重の切断面を有するように製造されてもよい。ブレードはまた、特定の目的のための、典型的には凸状または多様な線状の成形された切断ワイヤを有するものが知られている。
【０００４】
知られているはさみは、２つの往復式のヒンジ要素からなり、好ましくは親指、人差し指、および中指の間の取っ手を一方の側に有し、Ｖ字の外形を画定し、かつはさみを把持する美容師の動作に応じて様々な孔を有する、２つのブレードを他方の側に有する。
【０００５】
説明される従来技術は、いくつかの重大な欠点を有する。
【０００６】
第１の主要な欠点は、散髪は実行するのが非常に困難な動作である点である。
【０００７】
この難しさは、美容師または顧客にけがをさせ得る、はさみ、かみそり、およびブレードなどの特に危険な器具を正確に操作する必要性に起因している。
【０００８】
この側面は、不自然な姿勢または複雑な動きを必要とし得る、実行されるカットの種類によって際立ち得る。
【０００９】
これらの欠点は、毛髪の再生がわずかであっても所望の形状を維持しない傾向があることが多い、品質の劣るカットをもたらす。
【００１０】
加えて、不適切なカットは、毛髪のダメージ、および結果的に、脱毛の増加および同様の問題をもたらし得る。 
【発明の概要】
【００１１】
この状況において、本発明の技術的目的は、言及した欠点のうちの少なくともいくつかを実質的に克服することができる散髪用デバイスを考案することである。
【００１２】
この技術的問題の一部として、１つの重要な目的は、品質が高く、耐久性があり、かつ中でも、ダメージのない散髪を実行することを可能にするデバイスを得ることである。
【００１３】
技術的目的および特定の意図は、添付の請求項１に特許請求されるような散髪用デバイスによって実現される。好ましい実施形態の例が従属請求項において説明されている。
【図面の簡単な説明】
【００１４】
本発明の特性および利点は、添付の図面を参照することで、以下の、本発明の好ましい実施形態の詳細な説明から明らかに明確である。
【００１５】
【図１】着用されたときの本発明に係る散髪用デバイスを示す。
【図２ａ】散髪用デバイスの詳細を強調する。
【図２ｂ】使用中の、図２ａの詳細を示す。
【発明を実施するための形態】
【００１６】
本明細書において、「約」などの単語、または「およそ」もしくは「実質的に」などの他の同様の用語と共に使用される場合、尺度、値、形状、および幾何学的関係（例えば、垂直および平行）は、生産および／または製造誤差に起因する測定誤差または不正確さを除いて、中でも、それが関連付けられる値、尺度、形状、または幾何学的関係からのわずかな相違を除くものとして理解されるべきである。例えば、当該用語は、値と関連付けられる場合、好ましくは、当該値と１０％以上相違しないことを示す。
【００１７】
加えて、「第１」、「第２」、「上」、「下」、「主」および「二次的」などの用語が使用される場合、それらの用語は順序、優先関係、または相対的位置を必ずしも指すわけではなく、単に、異なる構成要素をより明らかに互いに分けるために使用され得る。
【００１８】
本明細書において提示される測定値およびデータは、別段の記載がない限り、国際標準待機ＩＣＡＯ（ＩＳＯ  ２５３３）において作成されていると見なされるべきである。
【００１９】
別段の指定がない限り、以下の検討から明らかであるように、「コンピュータ・サイエンス」、「決定」、「計算」または同様のものなどの用語は、情報システムおよび／またはメモリのレジスタの物理量、例えば電子量として表されたデータや、コンピュータシステム、レジスタ、または情報を格納、送信、または表示するための他のデバイス内で物理量として同様に表される他のデータを操作および／または変換する、コンピュータ動作、および／またはプロセスもしくは同様の電子計算デバイスを指すと見なされる。
【００２０】
図面を参照すると、参照符号１は全体的に、本発明に係る散髪用デバイスを示す。
【００２１】
散髪用デバイス１は、毛髪１１を切られる人物の頭部１０の上に配置されるのに好適なヘルメット２を含む。
【００２２】
ヘルメットは、長い毛髪または短い毛髪を収容するのに好適な、全体的な、部分的な、または他の要素であり得る。
【００２３】
着用されると、ヘルメット２は、毛髪１１、およびしたがって頭部１０に向き合う内面２ａを画定する。
【００２４】
内面２ａは、頭部１０の少なくとも一部に対して、特に、毛髪１１を有する頭部１０の部分に対して、実質的に逆の形状を有する。 
【００２５】
ヘルメット２は、ヘルメット２を着用するときの頭部１０の長手方向軸に対して実質的に平行にそれ自体を配置するのに好適な長手方向軸２ｂを画定する。 
【００２６】
好適には、内面２ａは、頭部１０と接触することなく頭部１０の近くに位置付けられるのに好適である。着用すると、ヘルメット２は、毛髪１１が中に存在する作動容積２ｃを画定する。
【００２７】
着用されると、作動容積２ｃは、内面２ａと頭部１０との間で区切られ、好ましくは、実質的に気密性である。この目的のため、ヘルメット２は、頭部１０と接触して当該容積の当該気密閉鎖を実現するのに好適な閉鎖手段２１を含んでもよい。
【００２８】
閉鎖手段２１は、頭部１０と接触したときに変形して完全にそれに密着するために、好適に柔らかい内面２ａの外周に沿って延在するゴム状の外形を含み得る。
【００２９】
ヘルメット２はチャネル２２を含み、チャネル２２の各々は、当該チャネル２２内の毛髪１１のための入口部２２ａを画定する。
【００３０】
各入口部２２ａは、内面２ａの領域を特定する。
【００３１】
チャネル２２は、それらの唯一の開口として入口部２２ａを有する、止まり穴であり得る（図２ａおよび２ｂ）。 
【００３２】
代替的には、チャネル２２は、ヘルメット２内の貫通孔であり得る。この場合、各チャネル２２は、入口部２２ａに加えて、チャネル２２に対して当該入口部２２ａの反対側の出口部を画定する。ヘルメット２は、出口部の好適に気密性の閉鎖キャップを含み得る。 
【００３３】
チャネル２２は、内面に対して、したがって頭部１０に対して実質的に放射状である主伸長軸２２Ｂを画定する。入口部２２ａ、および存在する場合、出口部は、主伸長軸２２ｂに対して実質的に垂直である。
【００３４】
有利には、主伸長軸２２ｂは内面２ａに対してほぼ放射状である。したがって、主伸長軸２２ｂは、入口部２２ａの重力中心において適切に算出された、内面２ａの接線に対してほぼ垂直である。
【００３５】
ヘルメット２は、チャネル２２毎に、主伸長軸２２ａに対して実質的に垂直な切断方向２３ａを画定する、チャネル２２内の毛髪１１の切断手段２３を含む。
【００３６】
切断手段２３は、少なくとも切断方向２３ａに沿って、ブレード２３１と、ブレード２３１の移動要素２３２とを含む。
【００３７】
チャネル２２は開口を含んでもよく、その開口の中で、要素２３２によって動かされたブレード２３１が摺動して、チャネルに重なり合ったブレード部分２３１を変動させる。
【００３８】
移動要素２３２は、ブレード２３１がほぼ完全にチャネル２２の外側にある後退位置（図２ａ）と、ブレード２３１がチャネル２２内に、好適には当該開口の反対側でチャネル２２とほぼ接触するように突出する作動位置（図２ｂ）を画定する切断軸２３ａに沿ってブレード２３１を動かすのに好適である。
【００３９】
移動要素２３２はさらに、入口部２２ａからの当該ブレードの距離を変化させ、それにより毛髪１１のカット長さを変更するために、主伸長軸２２ａに対して実質的に平行な摺動方向に沿ってブレード２３１を動かすのに好適であり得る。
【００４０】
移動部２３はすべて同じカット長さを画定することができ、かつ／または別個のカット長さを少なくとも部分的に画定することができることに留意すべきである。
【００４１】
移動要素２３２は、電気的であってもよい。
【００４２】
散髪用デバイス１は、チャネル２２を押し下げて、毛髪１１を当該チャネル内に進入させるのに好適な吸引手段３を含み、ヘルメット２は、チャネル２２との接続を介して吸引手段３を流体内に配置するのに好適なダクト２４を含む。
【００４３】
好ましくは、ダクト２４は、すべてのチャネル２４が常に同じ圧力を有するようにチャネル２２を相互接続する。
【００４４】
吸引手段３は、ヘルメット２と一体化され得る。代替的には、吸引手段３はヘルメットの外部にあってもよく、そのため、少なくとも１つのダクト２４への接続パイプを有してもよい。
【００４５】
吸引手段３は、チャネル２２から空気を外向きに吸い出して、チャネル２２およびしたがって前述の作動容積２ｃを内面２ａと頭部１０との間に、押し下げながら、すなわち、環境の圧力よりも低い圧力で配置するのに好適である。加えて、吸引手段３は、外側からチャネル２２に向かって空気を吸い込んで、チャネル２２、およびしたがって作動容積２ｃを内面２ａと頭部１０との間に、過圧下で、すなわち、環境の圧力よりも高い圧力で配置するのに好適である。
【００４６】
各ダクト２４は、当該ダクト内への当該毛髪の進入を防ぐのに好適なフィルタ手段を含み得る。 
【００４７】
散髪用デバイス１は、デバイス自体の、好適に電気的な電力供給手段を含み得る。電力供給手段は、電池および／または外部グリッドへの接続手段を含み得る。
【００４８】
散髪用デバイス１は、散髪用デバイス１、特に、切断手段２３、および好適には吸引手段３の動作のための制御盤を含み得る。
【００４９】
散髪用デバイス１は、操作者が散髪用デバイス１の動作を制御することを可能にするのに好適な、インタフェース、好適には、入力および／または出力インタフェースを含み得る。
【００５０】
上記の散髪用デバイス１の作用は、構造の観点では以下の通りである。
【００５１】
当初は、チャネル２２は、環境の圧力と実質的に等しい圧力にあり、ブレード２３１は後退位置（図２ａ）にある。
【００５２】
最初に、美容師がヘルメット２（図１）を、毛髪１１を切られる人物の頭部の上に置き、閉鎖手段２１を頭部１０と接触させて、作動容積２ｃの気密閉鎖を生み出す。
【００５３】
この時点で、適切にインタフェースを介して、美容師は、チャネル２２を押し下げることにより、当該チャネル内への毛髪１１の進入を制御する吸引手段３の作動を制御する。
【００５４】
主伸長軸２２ｂが内面、およびしたがって頭部１０に対して実質的に放射状であるため、毛髪１１は頭部１０に対して放射状に配置されていることに留意すべきである。
【００５５】
この時点で、移動要素２３２は、ブレード２３１を作動位置に動かし、それによりブレード２３１が散髪を実行する（図２ｂ）。
【００５６】
美容師は、移動要素２３２によって、顧客の要望に従って必要に応じてカットの長さを変化させることができることに留意すべきである。
【００５７】
特に、美容師は、主伸長軸２２ａに沿ったブレード２３１の異なる位置を用いて行われる、一連、例えば２または３のカットを命令し得る。
【００５８】
毛髪１１を切った後、吸引手段３が作動容積２ｃを環境の圧力と少なくとも等しい圧力に回復させる間、移動要素２３２は、ブレード２３１を後退位置に置いて、美容師がヘルメット２を容易に外すことを可能にする。
【００５９】
ヘルメット２を外した後、吸引手段３はチャネル２２内で過圧をもたらして、毛髪１１をチャネル２２から排出し、それによりヘルメット２を洗浄することができる。
【００６０】
本発明に係る散髪用デバイス１は、重要な利点を実現する。 
【００６１】
実際に、デバイス１は、毛髪１１を内面２ａ、およびしたがって頭部１０に対して放射状に配置することにより、頭皮に対して接線方向のカットを実行することができ、それにより、審美的品質の改善および耐久期間の増加のセット／最終結果を保証する。
【００６２】
したがって、カットはよりエレガントであり、より品質が高く、毛髪１１に負荷またはひずみがかからず、それにより、より健康的となり、脱毛の傾向が減少する。
【００６３】
また、ゲル、フォーム、または他の固定剤を必要としない。
【００６４】
特許請求の範囲に規定される発明的概念の範囲を逸脱することなく、本明細書に記載される発明に変更をなすことができる。そのような領域において、すべての詳細は同等の要素で置き換えられてよく、材料、形状、および寸法は所望のとおりであってよい。
【図１】
2021529009.tif 000003
【図２ａ】
2021529009.tif 000004
【図２ｂ】
2021529009.tif 000005
【国際調査報告】
2021529009.tif 000006
2021529009.tif 000007